(57)【要約】【課題】本発明の課題は、簡易な構成で施工し易く且つ低コスト化を図れる浴室用片引戸を提供することである。【解決手段】浴室の出入口に用いられる浴室用片引戸１であって、この浴室用片引戸１は、浴室の開口部に並んで設けられた袖壁２と、障子３が閉位置から開位置に至る障子３の走行方向に沿って設けられた走行下枠１３と、浴室の開口部に設けられた浴室側下枠１５とを備え、走行下枠１３と浴室側下枠１５とが嵌合により固定するようにした。【選択図】  図１
2005016148.tif 000002
【特許請求の範囲】
【請求項１】
浴室の開口部と、開口部に並んで設けられた袖壁と、障子が閉位置から開位置に至る障子の走行方向に沿って設けられた走行下枠と、開口部に設けられた浴室側下枠とを備え、走行下枠と浴室側下枠は嵌合により固定していることを特徴とする浴室用片引戸。
【請求項２】
走行下枠は、浴室側に突出し且つレールの走行方向に沿って設けられた上下の連結片を備え、浴室側下枠は一方の被連結片と他方の被連結片とを備え、一方の被連結片は上連結片に係合しており、他方の被連結片は下連結片にねじ固定されることを特徴とする請求項１記載の浴室用片引戸。
【請求項３】
上連結片と一方の被連結片との間にはシール部材が挟着されていることを特徴とする請求項１又は２に記載の浴室用片引戸。
【請求項４】
浴室側下枠には上面材が取り付けられており、浴室側下枠の内部には排水口が設けられており、浴室側下枠と上面材との間の隙間から浴室側下枠の内部に流れ込んだ水を排水口から排出していることを特徴とする請求項１〜３の何れか一項に記載の浴室用片引戸。
【請求項５】
袖壁はパネルであり、走行下枠にはパネルを保持する保持部材が設けられており、袖壁を上枠と走行下枠とに取り付けていることを特徴とする請求項１〜４の何れか一項に記載の浴室用片引戸。
【請求項６】
袖壁の開口部側には竪骨を備え、竪骨の脱衣室側見付け面には上下方向に煙返しと止水材の取付溝部とが設けられており、煙返し及び取付溝部はその下端を切り欠いて平面にしてあり、走行下枠は竪骨に対向する部分を切り欠いて平面にしてあり、竪骨の脱衣室側見付け面と走行下枠の浴室側側面とが密着していることを特徴とする請求項１〜５の何れか一項に記載の浴室用片引戸。
【発明の詳細な説明】
【０００１】
【発明の属する技術分野】
本発明は、浴室等の出入り口に取り付けられる浴室用片引戸に関する。
【０００２】
【従来の技術】
浴室用片引戸の下枠は、特許文献１にあるように、障子の戸車が走行する走行下枠と、開口部に設ける浴室側下枠とを一体に設けたものが知られている。
【０００３】
一方、特許文献２には、走行下枠と浴室側下枠とを別体に設け、これらを跨ぐ位置に上面板を配置した技術が開示されている。
【０００４】
【特許文献１】
特開平１１−２８７０６９号公報
【特許文献２】
特開２００１−１３２３３５号公報
【０００５】
【発明が解決しようとする課題】
しかし、特許文献１の技術においては、走行下枠と浴室側下枠とが一体成形であるため、下枠を袖壁が入り込む部分が凹んだＬ字状にカットする必要があり、加工に手間がかかるため、コスト高になるという問題がある。
【０００６】
また、特許文献２の技術においては、走行下枠と浴室側下枠との間に別途、上面板を取り付ける必要があり施工が複雑になるという問題がある。
【０００７】
さらに、バリアフリーを考慮した浴室用片引戸においては、浴室と脱衣室との間の段差が小さいため、浴室側から流れ出た水が脱衣室側に漏れるおそれもある。
【０００８】
本発明は、上述した事情に鑑みなされたもので、簡易な構成で施工し易く且つ低コスト化を図れる浴室用片引戸の提供を目的とする。
【０００９】
【課題を解決するための手段】
上記目的を達成するために、請求項１に記載の発明は、浴室の開口部と、開口部に並んで設けられた袖壁と、障子が閉位置から開位置に至る障子の走行方向に沿って設けられた走行下枠と、開口部に設けられた浴室側下枠とを備え、走行下枠と浴室側下枠は嵌合により固定していることを特徴とする。
【００１０】
この請求項１に記載の発明では、走行下枠と浴室側下枠との２つの部材を嵌合により固定するので、走行下枠と浴室側下枠とを一体成形に設ける場合のようにＬカットによる加工を施す必要がなく、低コスト化を図ることができる。
【００１１】
請求項２に記載の発明は、請求項１に記載の発明において、走行下枠は、浴室側に突出し且つレールの走行方向に沿って設けられた上下の連結片を備え、浴室側下枠は一方の被連結片と他方の被連結片とを備え、一方の被連結片は上連結片に係合しており、他方の被連結片は下連結片にねじ固定されることを特徴とする。
【００１２】
この請求項２に記載の発明では、請求項１に記載の発明と同様の作用効果を奏するとともに
下枠の上部位置では、上連結片と一方の被連結片とを係合するので、ねじ穴を開ける必要がなく、ねじ止め部分から水が漏れるのを防止できる。
【００１３】
下枠の下部位置においては、下連結片と他方の被連結片とをねじ固定するので、走行下枠と浴室側下枠との接続強度を高めることができる。
【００１４】
請求項３に記載の発明は、請求項１又は２に記載の発明において、上連結片と一方の被連結片との間にはシール部材が挟着されていることを特徴とする。
【００１５】
この請求項３に記載の発明によれば、請求項１又は２に記載の発明と同様な作用効果を奏するとともに、上連結片と一方の被連結片との間にはシール部材が設けられているので、上連結片と一方の被連結片との間からの水漏れの発生を防止できる。
【００１６】
請求項４に記載の発明は、請求項１〜３の何れか一項に記載の発明において、浴室側下枠には上面材が取り付けられており、浴室側下枠の内部には排水口が設けられており、浴室側下枠と上面材との間の隙間から浴室側下枠の内部に流れ込んだ水を排水口から排出していることを特徴とする。
【００１７】
請求項４に記載の発明は、請求項１〜３の何れか一項に記載の発明と同様な作用効果を奏するとともに、浴室側から押し寄せる水を浴室側下枠に引き込んで排水でき、浴室側の水が脱衣室側にあふれ出るのを防止できる。
【００１８】
請求項５に記載の発明は、請求項１〜４のいずれかに記載の発明において、
袖壁はパネルであり、走行下枠にはパネルを保持する保持部材が設けられており、袖壁を上枠と走行下枠とに取り付けていることを特徴とする。
【００１９】
請求項５に記載の発明は、請求項１〜４のいずれかに記載の発明と同様な作用効果を奏するとともに、袖壁は走行下枠に設けられた保持部材に取り付けられるので、袖壁を保持するための部材を別途必要とせず、部品点数の低減を図ることができる。
【００２０】
請求項６に記載の発明は、請求項１〜５のいずれかに記載の発明において、袖壁の開口部側には竪骨を備え、竪骨の脱衣室側見付け面には上下方向に煙返しと止水材の取付溝部とが設けられており、煙返し及び取付溝部はその下端を切り欠いて平面にしてあり、走行下枠は竪骨に対向する部分を切り欠いて平面にしてあり、竪骨の脱衣室側見付け面と走行下枠の浴室側側面とが密着していることを特徴とする。
【００２１】
請求項６に記載の発明は、請求項１〜５のいずれかに記載の発明と同様な作用効果を奏するとともに、竪骨の脱衣室側見付面と走行下枠の浴室側側面とが密着しているので、竪骨の脱衣室側見付面と走行下枠の浴室側側面との隙間から水が床下に漏れることを防止できる。
【００２２】
【発明の実施の形態】
以下に、添付図面を参照して本発明の実施の形態を詳細に説明する。図１は図２に示す浴室用片引戸の下枠を拡大して示す断面図、図２は図４に示す浴室用片引戸のＡ−Ａ断面図、図３は図４に示す浴室用片引戸の横断面図、図４は本発明の実施の形態にかかる浴室用片引戸の正面図、図５は図４に示す浴室用片引戸のＢ−Ｂ断面図、図６は図１に示す浴室用片引戸の下枠部分を脱衣室側から見た斜視図であり、一点鎖線で抜き出して示す図は竪骨と走行下枠との当接部分を示す断面図である。
【００２３】
本実施の形態にかかる浴室用片引戸１は、浴室の出入口に用いられており、障子３は下枠５を戸車４が走行して開閉するようになっている。浴室用片引戸１は、下枠５が脱衣室の床面７及び浴室の床面９に対して段差のないバリアフリーになっている。
【００２４】
障子３の戸先側縦框１１の脱衣室側及び浴室側の側面には、上下方向に沿って突設部材３ａが設けられており、この突設部材３ａに指を掛けることで容易に障子３の開閉ができるようになっている。
【００２５】
下枠５の浴室側には、浴室の開口部に位置する上面材３７が浴室側下枠１５に取り付けられており、上面材３７の走行下枠１３側の下部は、障子３の走行部に沿って間隔を開けて設けられた支持部材３８に支えられている。尚、上面材３７の上面には滑り止めが形成されている。また、上面材３７は、竪骨３９に回動自在に設けてある押さえ部材４１により浴室側下枠１５に押さえ付けて止められている。
【００２６】
下枠５は、障子３が閉位置から開位置に至る障子３の走行部に沿って連続する走行下枠１３が設けられており、走行下枠１３の開口部側には浴室側下枠１５が取り付けられている。上枠６は、走行下枠１３の対向位置に走行上枠８と、走行上枠８の開口部側には浴室側上枠１０が取り付けられている。
【００２７】
走行下枠１３は、障子３の走行方向に沿って設けた溝１７と、溝１７に脱着自在に取り付けたレール部材１９とを備えている。溝１７は断面略コ字形状であり、浴室側と脱衣室側の溝壁１７ａ、１７ｂには防水部材２５の取付溝２３が形成されている。防水部材２５は樹脂製であり、それぞれ取付溝２３に装着されて先端が障子３の下端部の側面に当接するようになっている。このように、浴室側と脱衣室側の溝壁１７ａ、１７ｂの夫々に防水部材２５を設けることで、走行下枠１３の溝１７内に溜まった水が、脱衣室側から見えるのを防止している。
【００２８】
また、溝１７において、浴室側の溝壁１７ａには水抜き孔１８が形成されており、走行下枠１３の溝１７内に溜まった水は、水抜き孔１８から浴室側下枠１５の排水空間５５に排水するようにしている。本実施の形態では、溝１７内に入り込んだ水を溝１７内に保持しつつ排水するから、床下への水漏れを防止できる。特に走行下枠１３の溝１７内に溜まった水をシーリングにより水漏れを防止する構成でないから、施工が容易で且つ確実に水漏れが起こるのを防止できる。
【００２９】
レール部材１９は、断面略コ字形状であり、コ字の開口を下にして配置されており、上面の戸車走行部２７と、戸車走行部２７から下方に突設した一方及び他方の脚部とから構成されている。
【００３０】
走行下枠１３の上部には、浴室側に水平に突出し且つレールの走行方向に沿って連続して上連結片４３が形成されており、その下方位置には下連結片４５が形成されている。また、走行下枠１３に対向する浴室側下枠１５には、脱衣室側に水平に突出した一方の被連結片４７と、他方の被連結片４９とが形成されている。
【００３１】
上連結片４３には、その基端に係止溝５１が形成されており、略Ｌ字状に屈曲した一方の被連結片４７の先端４８が係合するようになっている。また、一方の被連結片４７の先端４８は、走行下枠１３の浴室側側面１４に当接して、走行下枠１３と浴室側下枠１５との間で隙間が生じないようにしている。さらに、上連結片４３の平面部分の上面と一方の被連結片４７の平面部分の下面との間には、シール部材３３が設けられている。
【００３２】
下連結片４５及び他方の被連結片４９には、ねじ穴が夫々形成されており、各片が重なり合う位置でねじ５３で固定されるようになっている。
【００３３】
上面材３７と浴室側下枠１５との間には、排水空間５５が形成されており、走行下枠１３内に溜まった水が水抜き孔１８から支持部材３８の間から排水空間５５内に流れ込むようになっている。排水空間５５に流れ込んだ水は、排水ソケット（排水口）５７からパイプ５９を通って外部に排水されるようになっている。
【００３４】
袖壁２は１枚のパネルで構成されており、走行下枠１３に設けられた保持部材６１に取り付けられている。保持部材６１は略Ｌ字状に形成された保持部材本体６３と本体６３から下方に延びる取付部材６５とを有しており、一端６２が袖壁２の側面を保持し、他端６４が走行下枠１３の取付溝２３に係止されている。尚、袖壁２は上枠６においても、走行上枠８に設けられた保持部材６１に取り付けられている。
【００３５】
袖壁２の脱衣室側の床面７には、防水壁６７が障子３の走行方向に沿って設けられており、走行下枠１３の溝１７内に流入した水が脱衣室側にあふれ出るのを防止している。
【００３６】
竪骨３９の脱衣室側見付け面７１には、上下方向に煙返し７３及び止水材の取付溝７５が設けられており、煙返し７３及び取付溝７５の下端は途中でカットされて走行下枠１３の上面に当接しており、竪骨３９の脱衣室側見付け面７１と走行下枠１３の浴室側側面７０とが当接している。一方、走行下枠１３の上下の連結片４３、４５は、袖壁側の一端がカットされて竪骨３９の開口部側見込み面７７に当接している。
【００３７】
竪骨３９に設けた煙返し７３及び止水材の取付溝７５の下端が走行下枠１３の上面に当接し且つ走行下枠１３の上下の連結片４３、４５が竪骨３９の開口部側見込み面７７に当接するので、走行下枠１３を竪骨３９に隙間なく配置でき、施工が容易であると共に、走行下枠１３と竪骨３９との隙間から床下に水が漏れるのを防止できる。
【００３８】
次に、本実施の形態にかかる浴室用片引戸１の作用について説明する。下枠５の施工は、走行下枠１３の上連結片４３にシール部材３３を配置し、浴室側下枠１５の一方の被連結片４７の先端部４８を上連結片４３の係止溝５１に係合させる。また、走行下枠１３の下連結片４５と浴室側下枠１５の他方の被連結片４９とはねじ５３で固定する。このようにして、走行下枠１３と浴室側下枠１５とを固定する。したがって、浴室側下枠１５は、走行下枠１３の下連結片４５に係合により容易に取り付けることができ、施工性が良い。
【００３９】
浴室からあふれ出た水は、下枠５の排水空間５５を通過して排水されるが、水が流れ込む下枠５の上部位置では、上連結片４３と一方の被連結片４７との間にシール部材３３を配置しているので、両片４３、４５の隙間から水漏れが発生するのを防止できる。また、現場でのコーキングを必要とせず、施工時間の短縮を図ることができる。
【００４０】
走行下枠１３と浴室側下枠１５とを一体成形に設ける場合のようにＬカットによる加工を施す必要がなく、低コスト化を図ることができる。
【００４１】
また、下枠５の下部位置においては、走行下枠１３と浴室側下枠１５とをねじ固定するので、接続強度を高めることができる。
【００４２】
障子３を閉めた場合には、溝壁に取付られた防水部材２５が障子３の両側から当接するので、下枠５の溝１７内に浴室の水が侵入するのを防止すると共に、下枠５内（特に、袖壁２側の下枠５）に溜まる水が見えなくて良い。
【００４３】
下枠５の排水空間５５を清掃するときには、竪骨３９に設けてある押さえ部材４１を回転させて外した後、上面材３７を除く。これにより、排水空間５５を露出できるので、清掃しやすい。
【００４４】
本発明は、上述した実施の形態に限定されず、本発明の要旨を逸脱しない範囲で種々変形可能である。
【００４５】
例えば、走行下枠１３と浴室側下枠１５との連結は、上連結片４３は係合により一方の被連結片４７に固定し、下連結片４５はねじ固定により他方の被連結片４９に固定しているが、上下の連結片４３、４５を共に係合により、各被連結片４７、４９に固定するものであっても良い。
【００４６】
下連結片４５と他方の被連結片４９との間にシール部材３３を設けても良い。
【００４７】
【発明の効果】
請求項１に記載の発明によれば、走行下枠と浴室側下枠との２つの部材を嵌合により固定するので、走行下枠と浴室側下枠とを一体成形に設ける場合のようにＬカットによる加工を施す必要がなく、低コスト化を図ることができる。
【００４８】
請求項２に記載の発明によれば、請求項１に記載の発明と同様の効果を奏するとともに、下枠の上部位置では、上連結片と一方の被連結片とを係合するので、ねじ穴を開ける必要がなく、ねじ止め部分から水が漏れるのを防止できる。
【００４９】
下枠の下部位置においては、下連結片と他方の被連結片とをねじ固定するので、走行下枠と浴室側下枠との接続強度を高めることができる。
【００５０】
請求項３に記載の発明によれば、請求項１又は２に記載の発明と同様な効果を奏するとともに、上連結片と一方の被連結片との間にはシール部材が設けられているので、上連結片と一方の被連結片との間からの水漏れの発生を防止できる。
【００５１】
請求項４に記載の発明は、請求項１〜３の何れか一項に記載の発明と同様な効果を奏するとともに、浴室側から押し寄せる水を浴室側下枠に引き込んで排水でき、浴室側の水が脱衣室側にあふれ出るのを防止できる。
【００５２】
請求項５に記載の発明によれば、請求項１〜４のいずれかに記載の発明と同様な効果を奏するとともに、袖壁は、走行下枠に設けられた保持部材に取り付けられるので、袖壁を保持するための部材を別途必要とせず、部品点数の低減を図ることができる。
【００５３】
請求項６に記載の発明によれば、請求項１〜５のいずれかに記載の発明と同様な効果を奏するとともに、竪骨の脱衣室側見付面と走行下枠の浴室側側面とが密着しているので、竪骨の脱衣室側見付面と走行下枠の浴室側側面との隙間から水が床下に漏れることを防止できる。
【図面の簡単な説明】
【図１】図２に示す浴室用片引戸の下枠を拡大して示す断面図である。
【図２】図４に示す浴室用片引戸のＡ−Ａ断面図である。
【図３】図４に示す浴室用片引戸の横断面図である。
【図４】本発明の実施の形態にかかる浴室用片引戸の正面図である。
【図５】図４に示す浴室用片引戸のＢ−Ｂ断面図である。
【図６】図１に示す浴室用片引戸の下枠部分を脱衣室側から見た斜視図であり、一点鎖線で抜き出して示す図は竪骨と走行下枠との当接部分を示す断面図である。
【符号の説明】
１    浴室用片引戸
２    袖壁
３    障子
５    下枠
１３  走行下枠
１５  浴室側下枠
３３  シール部材
３７  上面材
３９  竪骨
４３  上連結片
４５  下連結片
４７  一方の被連結片
４９  他方の被連結片
５７  排水口
６１  保持部材
７１  脱衣室側見付面
７３  煙返し
７５  取付溝
【図１】
2005016148.tif 000003
【図２】
2005016148.tif 000004
【図３】
2005016148.tif 000005
【図４】
2005016148.tif 000006
【図５】
2005016148.tif 000007
【図６】
2005016148.tif 000008